(57)【要約】情報を放送送信器により伝送するための方法が提案され、ここでは情報が少なくとも１つのインターネットアドレスを含む。放送送信器により放射された情報を受信するための方法が提案され、ここでは情報が少なくとも１つのインターネットアドレスを含む。インターネットアドレスを、放送を介して伝送され受信された情報から分離するための識別回路（２４）を有する放送受信器が提案される。放送受信器または放送受信器に接続された機器を、放送受信器により受信された情報によって制御するための方法が提案され、ここでは情報は少なくとも１つのインターネットアドレスを含み、少なくとも１つのインターネットアドレスはプロバイダにより提供される所定のデータに対する問い合わせとしてフォーマットされており、放送受信器または放送受信器と接続された機器は、通信インタフェースを介して受信された少なくとも１つのインターネットアドレスにより問い合わされたデータに依存して制御される。本発明により、本発明の放送受信器またはこれに接続された機器により指示可能な、またはこれを制御するのに使用可能な情報を特に高いデータ速度とデータ確実性を以て、既存の放送伝送システム、例えばＲＤＳとインターネットの付加的な伝送容量とを使用して伝送することができる。
2004503129.tif 000002
【特許請求の範囲】
【請求項１】
情報を放送送信器により伝送するための方法において、
前記情報は少なくとも１つのインターネットアドレスを含む、
ことを特徴とする方法。
【請求項２】
少なくとも１つのインターネットアドレスを、プログラム番組内容の他に伝送される情報信号の一部として伝送する、請求項１記載の方法。
【請求項３】
少なくとも１つのインターネットアドレスを、ラジオデータシステム（ＲＤＳ）規格またはＳＷＦＴ／ＤＡＲＣ規格に従い伝送される情報信号の一部として伝送する、請求項２記載の方法。
【請求項４】
少なくとも１つのインターネットアドレスをビデオテキスト信号内で伝送する、請求項２記載の方法。
【請求項５】
少なくとも１つのインターネットアドレスを、デジタル地上波放送または衛星放送に対する規格に従った放送信号内で、とりわけデジタルオーディオ放送（ＤＡＢ）規格またはデジタル衛星ラジオ（ＤＳＲ）規格に従った放送信号内で伝送する、請求項１記載の方法。
【請求項６】
放送送信器により放射される情報の受信方法において、
情報は少なくとも１つのインターネットアドレスを含む、
ことを特徴とする方法。
【請求項７】
少なくとも１つのインターネットアドレスを、プログラム番組内容の他に、とりわけラジオデータシステム（ＲＤＳ）規格、ＳＷＩＦＴ／ＤＡＲＣ規格またはビデオテキスト規格に従い伝送される情報信号の一部として伝送する、請求項６記載の方法。
【請求項８】
少なくとも１つのインターネットアドレスを放送信号内で、デジタル地上波放送または衛星放送に対する規格、とりわけデジタルオーディオ放送（ＤＡＢ）規格またはデジタル衛星ラジオ（ＤＳＲ）規格に従い伝送する、請求項６記載の方法。
【請求項９】
少なくとも１つのインターネットアドレスを、放射された情報を受信するのに適した放送受信器内で分離する、請求項６から８までのいずれか１項記載の方法。
【請求項１０】
少なくとも１つのインターネットアドレスを自動的に、通信インタフェース（６）、とりわけ無線インタフェースを介して選択する、請求項６から９までのいずれか１項記載の方法。
【請求項１１】
選択されたインターネットアドレスの下で使用可能な情報を通信インタフェースを介して呼び出す、請求項１０記載の方法。
【請求項１２】
通信インタフェースを介して伝送される情報を光学的または音響的に放送受信器または別個の出力ユニットを介して出力する、請求項１１記載の方法。
【請求項１３】
通信インタフェースを介して伝送される情報を、放送受信器、または該放送受信器に接続された要素、または通信インタフェースに直接接続された要素を制御するために使用する、請求項１１記載の方法。
【請求項１４】
インターネットアドレスを、放送を介して伝送され受信された情報から分離するための識別回路（２４）が設けられている、ことを特徴とする放送受信器。
【請求項１５】
通信インタフェース（６）、とりわけ無線インタフェースが、受信された情報から分離されたインターネットアドレスを選択するために設けられている、請求項１４記載の放送受信器。
【請求項１６】
通信インタフェース（６）を介して、選択されたインターネットアドレスから呼び出された情報に対する評価部（２５０）が設けられている、請求項１５記載の放送受信器。
【請求項１７】
前記評価部（２５０）は、選択されたインターネットアドレスに基づき呼び出された情報に基づいて制御信号を形成し、放送受信器（２）または通信インタフェース（６）と接続された要素を制御するように構成されている、請求項１６記載の放送受信器。
【請求項１８】
放送受信器または放送受信器と接続された機器を、放送受信器により受信された情報によって制御するための方法において、
情報は少なくとも１つのインターネットアドレスを含み、
少なくとも１つのインターネットアドレスは、プロバイダにより提供される所定のデータに対する問い合わせとしてフォーマットされており、
放送受信器または放送受信器と接続された機器は、通信インタフェースを介して、受信された少なくとも１つのインターネットアドレスにより問い合わされたデータにしたがって制御される、ことを特徴とする方法。
【発明の詳細な説明】
【０００１】
従来の技術
本発明は独立請求項の上位概念による、情報を放送送信器により伝送するための方法、放送送信器により放射された情報を受信するための方法、放送受信器、および無線放送受信器の制御方法から出発する。
【０００２】
情報を無線放送局により伝送するための方法は基本的に公知である。現在の無線放送局は例えばラジオ番組またはテレビジョン番組を無線周波数を介し、電磁波の形態で、地上放送アンテナを介して放射する。この放送周波数は伝送すべき情報によって周波数変調される。択一的な伝送媒体、例えばケーブルでは、ケーブルテレビが考えられ、デジタル無線伝送のような伝送方式、例えばＤＡＢ（＝ Ｄｉｇｉｔａｌ Ａｕｄｉｏ Ｂｒｏａｄｃａｓｔｉｎｇ）も公知である。このデジタル無線伝送方式では、多数の搬送波周波数がデジタル無線プログラム番組信号によって変調される。
【０００３】
さらに本来のプログラム番組信号、例えばラジオ番組に加えて、別の情報を無線周波数を介して伝送することが公知である。この別の情報は本来のプログラム番組信号を妨害しない。例えば「ラジオデータシステム（ＲＤＳ）のＤＩＮ ＥＮ ５００６７仕様」、Ｄｅｕｔｓｃｈｅ Ｅｌｅｋｔｒｏｔｅｃｈｎｉｓｃｈｅ Ｋｏｍｍｉｓｓｉｏｎ ｉｍ ＤＩＮ ｕｎｄ ＶＤＥ （ＤＫＥ）， Ｂｅｕｔｈ Ｖｅｒｌａｇ ＧｍｂＨ， Ｂｅｒｌｉｎ， Ｆｅｂ． １９９３， 「Ｔｅｃｈ． ３２４４−Ｅ Ｓｐｅｃｉｆｉｃａｔｉｏｎｓ ｏｆ ｒａｄｉｏ ｄａｔａ ｓｙｓｔｅｍ ｆｏｒ ＶＨＦ／ＦＭ ｓｏｕｎｄ ｂｒｏａｄｃａｓｔｉｎｇ」， Ｅｕｒｏｐｅａｎ Ｂｒｏａｄｃａｓｔｉｎｇ Ｕｎｉｏｎ， Ｂｒｕｅｓｓｅｌ， Ｍａｒｃｈ １９８４ から、ラジオ番組が０から５３ｋＨｚの周波数領域を占有するベースバンド信号に周波数５７ｋＨｚの補助搬送波を設け、この補助搬送波をデジタル形態で存在する情報信号によって振幅変調し、放送周波数をこのマルチプレクス信号により変調することが公知である。デジタル情報信号に含まれる情報はとりわけ、受信されたラジオ番組および聴取者の情報の受信品質を最適化するために、移動無線受信器を自動同調するのに使用される。
【０００４】
さらに広いエリアで導入された既存の放送伝送システム、例えば前述のラジオ放送のラジオデータシステム（ＲＤＳ）またはテレビジョン放送のビデテキストシステムは、情報信号に対して制限された伝送容量を有する。ラジオデータシステムの場合では、情報信号に対する伝送容量が前記のＲＤＳ仕様で設定されたデータ速度によって決められる。補助搬送波を情報信号により変調することによって取られる周波数領域を拡大することは、補助搬送波がラジオ信号のスペクトルに近いため考慮の範疇に入らない。さらにＲＤＳ信号のデータ速度を上昇させることは、とりわけ移動無線受信器では、受信品質の変動または低下につながり、データ速度が高いと情報信号の受信がさらに悪化することとなる。
【０００５】
ＤＥ３５３６８２０Ｃ２は、大きなデータ量を有する交通情報を移動無線放送受信器に表示する手段を開示する。ここでは、ラジオデータシステムの情報信号によってメモリアドレスを含むコードを送信する。ここでメモリアドレスは移動無線放送受信器において、表示すべき交通情報の所定構成部分がファイルされているメモリセルをアドレシングする。従って適切なアドレスシーケンスを伝送することによって複雑な情報でも、記憶された所定の情報構成部分からの情報の合成によって表示することができる。この方法は略語ＴＭＣ（Ｔｒａｆｆｉｃ Ｍｅｓｓａｇｅ Ｃｈａｎｎｅｌ）として公知である。しかしＴＭＣ方法でも最終的には伝送容量を上昇させるのには適さず、さらに受信側で情報構成部分を記憶するためのメモリ容量を設けなければならない。さらに表示可能な情報の量と形式は受信側のメモリの内容によって制限される。
【０００６】
さらに付加情報を正しく受信することは、とりわけ移動無線放送受信器において受信状況が変化する場合にはしばしば保証されない。
【０００７】
発明の利点
独立請求項の特徴部分の構成を有する本発明の、情報を無線放送局によって伝送する方法、および無線放送局により放射された情報を受信するための方法は、放送局から無線放送受信器へ情報を伝送するための伝送容量を上昇させることができるという利点を有する。有利にはこのために既存の放送伝送システムが、面倒な変更なしで、高いデータ伝送容量を有するインターネット手段と組み合わされる。
【０００８】
ここで特に有利には、インターネットアドレスをプログラム内容の他に伝送される情報信号の一部として伝送する。なぜならこれにより、プログラム信号が伝送すべきインターネットアドレスにより妨害を受けることが回避されるからである。
【０００９】
さらにインターネットアドレスを伝送するために、広く普及しておりユーザに受け入れられる既存の伝送経路、例えばラジオデータシステム、またはラジオ放送の場合のＳＷＩＦＴ／ＤＡＲＣ規格、またはテレビジョン放送の場合のビデオテキスト信号を使用すると有利である。
【００１０】
ユーザに相応に普及し受け入れられた後、伝送容量が比較的に高いためインターネットアドレスに対する伝送媒体としてさらに、デジタル地上放送または衛星放送のための規格、とりわけデジタルオーディオ放送（ＤＡＢ）規格、またはデジタル衛星ラジオ（ＤＳＲ）規格に従って放射された放送信号が特に重要である。
【００１１】
インターネットアドレスを放送受信器に伝送した後、このアドレスが自動的に通信インタフェース、とりわけ無線インタフェースを介して選択されると有利である。このことによりユーザは、場合によっては負担と感じられる入力過程から解放される。このことはとりわけ、放送受信器が車両にある場合に交通安全性を高めるため重要である。
【００１２】
有利には、伝送されたインターネットアドレスの下で呼び出し可能な情報を放送受信器、または放送受信器または通信インタフェースに接続された要素の制御のために使用する。例として、ＲＤＳ信号によって通常、伝送されるＡＦリストを挙げておく。このＡＦリストは移動放送受信器の場合は、受信特性の悪化によりしばしば部分的にしか受信されなかったり、エラーを伴って受信されることがある。この制御補助情報を通信インタフェースを介して伝送することにエラーが生じることはなく、伝送容量が高いため放送を介するよりも高速に行われる。
【００１３】
放送受信器または放送受信器に接続された機器を制御するための本発明の方法は、放送を介して放射され、インターネットアドレスとしてフォーマットされた制御情報によって放送受信器を起動することができ、自動的にインターネットプロバイダの所定データにアクセスし、制御機能をインターネットプロバイダのデータに応じて実行し、またはインターネットプロバイダのデータを放送受信器に接続された機器でこれの機能を制御するためアクセスできるという利点を有する。このことはとりわけ、プロバイダのデータを、データ速度の速いインターネットを介してさらに確実にロードおよび伝送できるので有利である。
【００１４】
図面
本発明の実施例が図面に示されており、以下詳細に説明する。
【００１５】
図１は、放送送信器と放送受信器のブロック回路図を概略的に示す。この放送送信器は、放送局により形成された放送プログラム番組信号を放送信号として無線放送周波数を介して放射する。放送受信器は放送信号を受信し、放送信号に含まれる情報を出力する。
【００１６】
図２は、ＲＤＳ規格による情報信号の構造を概略的に示す。
【００１７】
実施例の説明
概念「放送」とは本発明では、ＡＭまたはＦＭ変調された放送周波数を介して伝送されるラジオ放送、一般的に「ラジオ」と称されるものに限定されるものではない。むしろ「放送」とは情報提供者の情報を多数の受信者に伝送することであると理解すべきである。例として周知のＦＭまたはＡＭ放送の他に、例えばＤＡＢ（＝ Ｄｉｇｉｔａｌ Ａｕｄｉｏ Ｂｒｏａｄｃａｓｔｉｎｇ）として公知の地上デジタル放送、ＤＳＲ（＝ Ｄｉｇｉｔａｌｅｓ Ｓａｔｅｌｉｔｅｎ Ｒａｄｉｏ）として公知のデジタル衛星方法、並びに衛星テレビジョン、ケーブルテレビ、および地上波テレビジョンを挙げておく。
【００１８】
さらに放送は本発明との関連では、電磁波を用いた無線伝送に制限されるものではなく、さらに広義にケーブル接続伝送、例えば銅線またはグラスファイバにも拡張される。
【００１９】
本発明の、情報を放送送信器により伝送する方法、放送送信器により放射された情報を受信する方法、および放送受信器を以下に、ＲＤＳ放送送信器と、移動での使用、とりわけ自動車に設けられた、図１に示すＲＤＳ放送受信器の例で説明する。
【００２０】
放送プロバイダ３は放送プログラム番組信号３１を形成する。この信号は、音楽番組または音声番組を含み、放送受信器で音響再生される。放送プログラム番組信号の他に送信すべき放送プログラム番組信号３１は情報信号を含んでおり、この情報信号は冒頭に述べたＲＤＳ仕様に設けられた付加情報を含んでいる。
【００２１】
ＲＤＳ情報信号、および図２に示されたその一部は、データグループ、すなわちショートグループ９０のシーケンスからなる。各グループは４つのデータブロック、すなわちショートブロック９１，９２，９３，９４を含む。ショートブロックは通常、ブロックＡ，Ｂ，Ｃ，Ｄとして示される。各ブロックは２６ビットを含み、ここで各ブロックの最初の１６ビットは本来のデータワード９１１，９２１，９３１，９４１を形成する。一方、各ブロックの残りの１０ビット９１２，９２２，９３２，９４２は、データワードから導出されたチェックワードおよびオフセットワードからなる。チェックワードはエラー識別および場合によりエラー補正に用いられる。オフセットワードは放送受信器のブロック同期を可能にする。
【００２２】
種々の情報形式の伝送するために、ＲＤＳ仕様には種々異なるグループ形式が設けられている。これらはＲＤＳ情報信号を形成するために所定の順序で並んでいるわけではない。所定の特に重要と見なされる情報形式はすべてのまたは大多数のグループ形式で伝送される。これに対して他のとりわけ大容量の情報は所定のグループ形式に制限されている。ＲＤＳ信号での所定のグループ形式の割合、ないしは繰り返し速度は所定のグループ形式に対するＲＤＳ仕様に定められている。残りの伝送容量は送信側で任意の情報に対し、すなわちグループ形式に対してＲＤＳ仕様の枠内で使用することができる。
【００２３】
ブロックＢ（９２）のデータワード９２１は、４ビットのグループ形式識別子をグループ形式の識別のために含んでいる。グループ形式識別子に続くバージョンビット９２４は、１つの同じグループ形式の２つの異なるバージョンを識別するのに用いる。グループ形式識別子９２３とバージョンビット９２４はグループ形式に依存せずに常にブロックＢ（９２）のデータワード９２１で伝送される。
【００２４】
グループ形式バージョンビット９２４には、ブロックＢのデータワード９２１ではグループ形式に依存しないでさらに、１ビットの交通放送識別子（ＴＰ＝トラフィックプログラム）９２５が続く。この交通放送識別子は、受信された放送プログラム内で交通情報が伝送されるか否かを指示する。さらに５ビットのプログラム番組識別子（ＰＴＹ＝プログラムタイプ）９２６が続いており、これは例えばニュース放送、スポーツ放送、音楽放送を区別する。
【００２５】
ブロックＡ（９１）のデータワード９１１は、同様にグループ形式に依存しないで、プログラム識別子（ＰＩ＝プログラム識別）９１３を含んでいる。これは放送プログラム番組に一義的に割り当てられており、従って放送プログラム番組を問題なく識別することができる。所定の放送プログラム番組は通常、多数の放送送信器から多数の放送周波数を介して放射されるから、プログラム識別子により放送受信器はこのような所定のプログラム番組が放射されている放送周波数を自動的にサーチすることができる。瞬時に受信している放送周波数の受信状態が悪化した場合には、プログラム識別子に基づいて、同じプログラム番組を放射しており、瞬時に受信している放送周波数よりも良好な受信品質を有する代替放送周波数を検出することができる。バージョンビット９２４が論理値「１」を有するグループ形式バージョンＢのグループの場合、ブロックＣ（９３）のデータワード９３１もプログラム番組識別子（ＰＩ）を含む。
【００２６】
ブロックＤ（９４）のデータワード９４１は、他の方法でグループ形式固有の情報を有する。同じことがバージョンＡのグループ（すなわちグループ形式ビット９２４が論理値「０」を有する）の場合にブロックＣ（９３）のデータワード９３１に対しても当てはまる。
【００２７】
グループ形式２の場合では、ブロックＤ（９４）のデータワード９４１に、バージョンＡの場合にはブロックＣ（９３）のデータワード９３１でも、ラジオテキスト情報（ＲＴ）９４３ないし９４３と９３３が伝送される。ラジオテキストとは符号化された文字伝送であり、ここでＲＤＳ仕様に従って伝送された文字符号は、放送受信器の表示ユニットに表示するために設けられている。
【００２８】
タイプ２のグループの場合、ブロックＢのデータワード９２１の残りの５ビットはいわゆるテキストＡ／Ｂフラグ９２７とテキストセグメントアドレス９２８を含んでいる。ブロックＢのデータワード９２１の最後の４ビットを含むテキストセグメントアドレス９２８は、ブロックＤ（グループ２Ｂ）またはブロックＣおよびＤ（グループ２Ａ）で伝送された文字符号を文字表示部内のどの位置に指示すべきかを指示する。これに対してテキストＡ／Ｂフラグは、伝送された符号により既存の文字表示を上書きすべきか否か、または表示された文字符号を瞬時に伝送された文字符号の表示前に消去すべきか否かを指示する。
【００２９】
本発明では、ＲＤＳ情報信号がインターネットアドレス（ＵＲＬ＝Ｕｎｉｆｏｒｍ Ｒｅｓｏｕｒｃｅ Ｌｏｃａｔｏｒ）の伝送にも使用される。この実施例では、ＵＲＬはタイプ２のグループで、ラジオテキスト情報の代わりに、またはその一部として伝送される。
【００３０】
ＵＲＬ（［ｈｔｔｐ：／／ｗｅｂ．ｕｒｚ．ｕｎｉ−ｈｅｉｄｅｌｂｅｒｇ．ｄｅ／／ａｕｓｂｉｌｄｕｎｇ／ｕｎｔｅｒｌａｇｅｎ／ｉｎｔｅｒｎｅｔ／ｓｂｋｕｒｓ／ｎｅｔｓｃ４／ｕｒｌ．ｓｈｔｍｌ］も参照）はｗｗｗドキュメントのアドレスおよびネーム、並びに選択された伝送プロトコルも含んでいる。後者は上記のＵＲＬでは ｈｔｔｐ（＝ｈｙｐｅｒｔｅｘｔ ｔｒａｎｓｆｅｒ ｐｒｏｔｏｃｏｌ）である。択一的にＵＲＬは具体的な問い合わせ命令を含むこともできる。これは例えば［ｈｔｔｐ：／／ｄｅ．ｉｎｋ．ｙａｈｏｏ．ｃｏｍ／ｂｉｎ／ｑｕｅｒｙ−ｄｅ？ｐ＝ｕｒｌ＆ｈｎ＝７＆ｈｃ＝０＆ｈｓ＝１１１］であり、これにより上に説明したテーマＵＲＬが見出される。
【００３１】
ここでＵＲＬは、ブロックＤ（グループタイプ２Ｂ）のラジオテキスト情報９４３内の特徴的文字符号シーケンス、またはブロックＣとＤ（グループタイプ２Ａ）の９３３と９４３内の文字符号シーケンスにより識別され、有利には開始される。インターネットアドレスを表す文字符号シーケンスはここではインターネットアドレス自体の構成部分とすることができ、例えば公知のようにインターネットアドレス開始文字符号シーケンス「／／」からなるか、またはこれを含む。インターネットアドレスの終了を示すために、とりわけインターネットアドレスが表示ユニット２６にラジオテキスト文字符号を表示するために伝送される場合には、さらにインターネットアドレスの符号を表示すべきラジオテキスト文字符号から区別するために、インターネットアドレスの終了を有利にはマークされた文字符号シーケンス、例えば「／／」によりマークする。
【００３２】
有利にはＲＤＳ−ＲＴ−情報内のＵＲＬは、ＵＲＬを開始する文字符号のシーケンスの１つ、この実施例では「／／」とは異なる文字符号シーケンス、例えば「＼＼」により終了される。これにより後続の文字符号シーケンス「／／」を受信側で誤ってインターネットアドレスの開始として解釈することが回避される。これは、開始文字符号シーケンス「／／」が例えば受信個所での受信品質が悪いため、またはＵＲＬの伝送中にＲＤＳ信号の受信が開始されたため受信されなかった場合である。
【００３３】
ＲＤＳ信号内でＵＲＬを識別するための択一的手段ももちろん可能であり、本発明の枠内である。例えばこれまで詳細に説明しなかったＲＤＳ信号のグループタイプをＵＲＬの伝送のためにリザーブすること、使用することも可能である。この場合、ＵＲＬはグループタイプで識別される。
【００３４】
放送プロバイダにより形成された放送プログラム番組信号３１はラジオ放送プログラム番組信号と少なくとも１つのインターネットアドレスを含むＲＤＳ情報信号を含む。この放送プログラム番組信号は第１の通信ネットワーク４を介して少なくとも１つの放送送信器１に供給される。第１の通信ネットワークは、例えばケーブル接続または放送プロバイダーと放送送信器１との間の指向性無線通信接続として構成されている。放送プログラム番組信号３１をプロバイダ３から放送送信器１へ伝送することはここでは、ラジオプログラム番組信号と情報信号（これはデジタルデータ流の形態である）とが放送送信器１に別個の信号として供給されるように行われる。放送送信器１はＲＤＳ変調器を有しており、このＲＤＳ変調器は、５７ｋＨｚ補助搬送波を、送信器固有の情報（例えば代替放送周波数のリスト）を補充して振幅変調する。
【００３５】
同様にＲＤＳ仕様に定義された、代替放送周波数（ＡＦ＝代替周波数）リストも同様に、同じ放送プログラム番組３１が放射される放送周波数を含んでいる。刊行物ＥＰ０５２７２７５Ｂ１では、代替放送周波数のリストをＲＤＳ情報信号内で、放射する放送送信器の放送周波数がそれぞれ他の放送送信器の放送周波数と共にペアごとに送信されるように放射することが提案されている。
【００３６】
放送送信器１は、ＥＰ０５２７２７５Ｂ１に相応して、放送プロバイダ３により形成されたＲＤＳデータ流を、送信側固有の代替周波数（ＡＦ）のリストだけ送信ＲＤＳ情報信号に補充する。このリストには、同じプログラム番組が放射される各代替放送周波数に、放送送信器１の放送周波数がペアごとに割り当てられている。代替周波数は放送送信器１にここでは有利にはＲＤＳデータ流の一部として供給される。
【００３７】
放送送信器はさらにマルチプレクサを有する。このマルチプレクサにて、ベースバンドにおいて０〜５３ｋＨｚの周波数領域を占有する放送プログラム番組信号が、ＲＤＳ情報信号により振幅変調された５７ｋＨｚの補助搬送波と共に送信すべきマルチプレクス信号にそれ自体公知のように統合される。このマルチプレクス信号は放送プログラム番組信号３１の情報を含んでいる。
【００３８】
放送送信器１の周波数変調器では、続いて放送送信器１の放送周波数が、放送プログラム番組信号を含むマルチプレクス信号によって放送信号１１の形成のために公知のように周波数変調され、続いて放送信号１１が放送送信器１の送信アンテナを介して電磁ビームの形態で放射される。
【００３９】
放送送信器１の放送信号１１は、放送送信器１の送信領域に存在する放送受信器２の受信アンテナ２０により受信される。放送受信器２の瞬時位置で受信可能な、別の放送送信器の放送信号がある場合には、放送受信器２の受信アンテナ２０のアンテナ信号２０１は種々異なる放送送信器の放送信号の重畳からなる。このアンテナ信号２０１から放送受信器１の放送信号１１が、同調制御信号２５１に依存して同調可能な放送受信器の受信部２１によって選択される。受信部２１はそれ自体公知のように、多数の受信可能な放送信号を受信および選択するのに必要な手段を有する。さらに受信部は周波数復調器を有し、これにより受信部２１の出力側では放送送信器１の放送周波数に重畳変調されたマルチプレクス信号２１１が得られる。
【００４０】
マルチプレクス信号２１１はさらにＲＤＳデコーダ２３に供給される。このＲＤＳデコーダは、公知のようにＲＤＳデータをマルチプレクス信号２１１から分離するのに必要な手段を有している。ＲＤＳデコーダ２３の第１の出力端には、マルチプレクス信号２１１から再生されたＲＤＳ情報２３２（その下にはプログラム識別部９１３）がさらなる処理のために発生する。
【００４１】
放送受信器はさらに、放送受信器２の機能を制御するための制御部２５と、この制御部２５と接続されたユーザインタフェース２６と、制御部２５により形成された指示制御信号の程度に応じて制御される指示ユニット、ユーザによる操作命令を入力するために入力ユニットを有する。操作命令は操作信号２６１として制御部２５に供給される。制御部２５には、ＲＤＳデコーダの第１出力端に発生するＲＤＳ情報２３２も供給される。
【００４２】
ここまで説明した放送受信器は、一般的に公知であり、何百万個と製造され販売されている。従って記述の放送受信器の構造および機能は公知のものと考えることができ、詳細に説明する必要はない。
【００４３】
本発明の放送受信器はさらに、ＲＤＳデコーダ２３の第２出力端２３２と接続された識別回路２４を、ラジオテキスト情報の一部としてＲＤＳ情報信号内で伝送されるインターネットアドレスを識別および分離するために有する。ＲＤＳデコーダの第２出力端には、受信された放送信号１１にタイプ２のＲＤＳ信号グループが含まれる場合、ラジオテキスト信号、並びに所属のテキストセグメントアドレス信号およびテキストＡ／Ｂ信号が発生する。これらの信号は識別回路で、少なくとも１つのインターネットアドレスの存在について検査される。前記の場合、ＲＴ情報内で伝送されるインターネットアドレスは特徴的な符号文字シーケンスによって表される。これは例えば「／／」と、インターネットアドレスに直接続く第２の符号文字シーケンス「＼＼」により表される。識別回路２４はＲＴ情報をこれら特徴的符号文字シーケンスについて検査する。特徴的符号文字シーケンスにより囲まれた符号文字シーケンスは識別回路２４によりインターネットアドレスとして識別される。
【００４４】
インターネットアドレスを含んでおらず、放送受信器２の表示ユニット２６に表示するために設けられた、ラジオテキスト信号の構成部分２４２はＲＤＳデコーダ２３を介して制御部２５に供給される。この制御部は表示制御信号２５２により表示ユニット２６を公知のようにラジオテキスト信号の表示のため制御する。有利にはこのラジオテキスト信号の構成部分２４２はタイプ２Ａまたは２Ｂのグループ形態で制御部２５に供給される。従ってラジオテキスト信号に関しては、識別回路２４がフィルタとして作用し、このフィルタがラジオテキスト信号から、放送受信器の表示ユニット２６に表示するためのものではない情報を除去する。
【００４５】
ラジオテキスト信号に含まれ、識別回路２４により識別されたインターネットアドレスはメモリ２７に供給され、有利には瞬時に受信される放送プログラム番組のプログラム番組識別子９１３と共に記憶される。この放送プログラム番組は制御部２５により、ＲＤＳデコーダ２３の第１出力端に発生するＲＤＳデータから分離され、信号２５４としてメモリに供給される。
【００４６】
本発明では記述の放送受信器が、有利には制御部２５に実現された通信ソフトウエア２５０を有する。この通信ソフトウエアは以下、簡単にブラウザ２５０と称する。ブラウザ２５０は、放送受信器２といわゆるインターネット（図には第２の通信ネットワーク５として示されている）との間の通信接続を、呼び出し命令２５５に基づきメモリ２７から読み出されたインターネットアドレス２７１に従って形成し、放送受信器２とインターネット５との間の通信を制御する。通信接続を放送受信器２とインターネット５との間で形成するために、ブラウザ２５０は通信インタフェース６にアクセスする。通信インタフェースはこの実施例ではＧＳＭ規格に従い機能する移動無線電話６の形態に構成されている。
【００４７】
移動無線電話６は、これにブラウザによって供給されたインターネットアドレス２５６に従い送受信アンテナ６１を介して、第２の送受信アンテナ７１の装備された移動基地局７への無線接続を形成する。この移動基地局の無線セル内には前記放送受信器が存在する。移動無線基地局７は、インターネットアドレス２５６を含む問い合わせ信号７２をインターネット５にさらに導き、これに基づいてインターネットアドレス２５６により示されたインターネットデータプロバイダ３，略してプロバイダへの接続が形成される。問い合わせ信号７２に基づきプロバイダ３は、インターネットを介して移動無線基地局７に供給され、この基地局から既存の移動無線接続を介して放送受信器２の移動無線電話６に供給されるデータを受け取る。
【００４８】
以降の説明では、ブラウザ２５０によりインターネットアドレス１７２に従って選択されたプロバイダ３が放送プロバイダであることを前提とする。この放送プロバイダの放送プログラム番組３１は瞬時に放送受信器２により受信され、情報３２もインターネット５を介して提供される。
【００４９】
放送プロバイダ３３からインターネット５を介して情報が提供される場合に使用される情報は次のとおりである。
【００５０】
・放送受信器２の表示ユニット２６に表示するのに適した情報；例えばプログラム一覧、タイトル、瞬時に送信された音楽作品の解釈、またはユーザのユーザインタフェースでの操作入力により選択可能な対話的情報、例えばテレビジョン方法のビデオテキストシステムのような情報である。
【００５１】
・放送受信器２に対する制御情報、例えばＡＦリスト；このリストは、劣悪な受信品質で放送信号が受信された場合に、移動無線通信インタフェース６を介して放送信号を介するよりも高いデータ確実性を以て受信可能である。
【００５２】
・他のインターネットアドレス；このインターネットアドレスの下で例えば同等の情報またはさらなる情報、例えば同じ放送プロバイダの他のプログラム番組についての情報を呼び出すことのできる。
【００５３】
・放送受信器２に接続された外部要素８に対する制御情報；これは例えばスタート地点から目標地点までの走行ルートを記憶された地図情報に基づいて計算するナビゲーション装置のための道路状態情報または交通情報、および付加的な道路状態情報または交通情報である。
【００５４】
プロバイダ３により使用される情報３２が表示ユニットで表示するために設けられた情報である場合、ブラウザ２５０は通信インタフェース６で使用可能なインターネット情報６０１を制御部２６で読み出し、そのインターネット情報の出力を相応の制御信号２５２を用いて制御する。
【００５５】
さらなるインターネットアドレス３２がある場合には、このインターネットアドレスは有利には移動無線電話６により使用される信号としてメモリ２７に書き込まれる。
【００５６】
メモリ２７に格納された所定のインターネットアドレス２７１へのアクセスは、制御部２５により自動的に初期化されるか、または操作インタフェース２６を介する相応のユーザ入力に基づき行われる。
【００５７】
本発明の第１の択一的実施例は、記述のＲＤＳ放送受信器としての他の放送受信器に向けられたものである。本発明の放送受信器は例えばテレビジョン受信機の形態とすることができる。この場合、インターネットアドレスを伝送するためにビデオテキスト信号を使用することができる。さらに放送受信器は例えばデジタル放送に対する受信器、例えばＤＡＢ（＝ Ｄｉｇｉｔａｌ Ａｕｄｉｏ Ｂｒｏａｄｃａｓｔｉｎｇ）受信器、またはＤＳＲ（＝ Ｄｉｇｉｔａｌｅｓ Ｓａｔｅｌｉｔｅｎ Ｒａｄｉｏ）受信器として構成することができる。ここではインターネットアドレスを伝送するために相応の放送伝送システムに設けられた伝送チャネルが使用される。
【００５８】
第２の択一的実施例は、放送プロバイダ３から放送受信器２への線路接続放送伝送に向けられたものである。このための例として、いわゆるケーブルテレビの公知のシステム、およびいわゆるケーブルラジオを挙げておく。ケーブルラジオの場合はインターネットアドレスをさらにラジオデータ信号の一部として、ケーブルテレビの場合は例えばビデオテキスト信号の一部として伝送することができる。
【００５９】
第３の択一的実施例は、放送受信器２の側からのインターネットアクセスの形式に向けられたものである。通信インタフェースをＧＳＭ移動無線インタフェースとして構成する代わりに、このインタフェースを現在の技術状態の後、将来普及するＵＭＴＳ移動無線規格に従って機能させることができる。択一的に、放送受信器が定置して、家庭での動作のために設けられている場合、放送受信器２の線路接続を例えば電話接続を介して、通信インタフェース６の一部として構成されたモデムまたはＩＳＤＮ接続によって行うことができる。さらにいわゆるＧＰＲＳ規格も放送受信器２をインターネット５に接続するために使用できる。
【００６０】
第４の択一的実施例は、問い合わせ命令を含むＵＲＬを放送送信器から放送受信器へ伝送することに向けられたものである。この問い合わせ命令は放送受信器を制御するためにフォーマットすることができる。このことを次に示す実施例に基づき説明する。
【００６１】
第４の択一的実施例によれば、放送局はＵＲＬは前記の問い合わせ命令の形態で伝送する。この問い合わせ命令はプロバイダ３の選択に応じて、プロバイダの特別のデータ提供にアクセスする。この特別のデータ提供は例えば代替放送周波数（ＡＦリスト）のリストである。この代替周波数を介して、瞬時に受信された放送プログラム番組と同じ放送プログラム番組が放射される。問い合わせ命令７２の結果、問い合わされたＡＦリストは次にインターネットデータ３２として、放送プロバイダ３の形態のプロバイダ３からインターネット５，基地局７および放送受信器の通信インタフェース６を介して放送受信器２に伝送される。そしてここでＡＦリストは放送受信器の図示しない放送周波数メモリに記憶される。このようにしてＡＦリストがとりわけ高速かつ確実に放送プロバイダ３から放送受信器２に伝送される。
【００６２】
同じようにして放送受信器２には別の制御情報をインターネット５を介し（例えばラジオデータ信号を介するのではなく）供給することができる。これに対する例として、付加的要素８として放送受信器２に接続されたナビゲーション機器８の制御を挙げておく。
【００６３】
相応にしてナビゲーション機器８は、ナビゲーション機器８のセンサ系、例えばそれ自体公知のＧＰＳ受信器によって求められた瞬時の車両位置からユーザにより設定された目的地までの走行ルートを計算する。ここでルート計算は、例えばＣＤに記憶された交通経路情報に基づいて行われる。有利にはルート計算は、瞬時の交通状況、例えば工事個所、交通渋滞等を考慮して行うことができる。ここで交通状況データはナビゲーション機器に通常のように、冒頭に述べたＴＭＣ放送受信器を介して符号化形態で供給することができる。
【００６４】
本発明によれば、放送受信器２に放送局１から例えばＲＤＳ信号によって、問い合わせとしてフォーマットされたＵＲＬを供給することができる。このＵＲＬはプロバイダ３によりインターネットで使用される瞬時の交通状況データを指示する。ＵＲＬを伝送することによって放送受信器は、プロバイダ３により使用される交通状況データ３２をインターネット５を介してロードする。このデータは放送受信器８に接続されたナビゲーション機器８に供給され、ナビゲーション機器はこのデータをルート計算の際に考慮する。ＲＤＳ−ＴＭＣデータに対して、インターネットを介してロードされた瞬時の交通状況データは比較的に高いデータ速度と比較的に高いデータ確実性を以て受信することができる。
【図面の簡単な説明】
【図１】
図１は、放送送信器と放送受信器のブロック回路図を概略的に示す。
【図２】
図２は、ＲＤＳ規格による情報信号の構造を概略的に示す。
【国際公開パンフレット】
2004503129.tif 000003
2004503129.tif 000004
2004503129.tif 000005
2004503129.tif 000006
2004503129.tif 000007
2004503129.tif 000008
2004503129.tif 000009
2004503129.tif 000010
2004503129.tif 000011
2004503129.tif 000012
2004503129.tif 000013
2004503129.tif 000014
2004503129.tif 000015
2004503129.tif 000016
2004503129.tif 000017
2004503129.tif 000018
2004503129.tif 000019
2004503129.tif 000020
2004503129.tif 000021
2004503129.tif 000022
2004503129.tif 000023
2004503129.tif 000024
2004503129.tif 000025
2004503129.tif 000026
2004503129.tif 000027
2004503129.tif 000028
2004503129.tif 000029
2004503129.tif 000030
2004503129.tif 000031
2004503129.tif 000032
【国際公開パンフレット（コレクトバージョン）】
2004503129.tif 000033
2004503129.tif 000034
【国際調査報告】
2004503129.tif 000035
2004503129.tif 000036
2004503129.tif 000037
2004503129.tif 000038
2004503129.tif 000039
2004503129.tif 000040